(57)【要約】【課題】サイズの異なる複数種類の電池から任意の一種類の電池を選択して使用することができる薬剤揮散装置を提供すること。【解決手段】薬剤揮散装置（１）は、薬剤保持体（２）から有効成分を揮散させるよう作用する薬剤揮散手段（３）に電力を供給するための電池を収納する電池収納部（５）を備えている。電池収納部（５）は、サイズの異なる複数種類の電池から選択される任意の一種類の電池を収納可能な電池ホルダ（１４）を備えている。電池ホルダ（１４）は、電池収納筒（２１）、プラス側端子保持部材（２２）およびマイナス側端子保持部材（２３）を有している。プラス側端子保持部材（２２）は複数種類のプラス端子受け部を有し、そしてマイナス側端子保持部材（２３）は複数種類のマイナス端子受け部を有する。【選択図】　　　図１０
2004089257.tif 000002
【特許請求の範囲】
【請求項１】
有効成分を保持した薬剤保持体と、
電力供給を受けて前記薬剤保持体から前記有効成分を揮散させるように作用する薬剤揮散手段と、
前記薬剤揮散手段に電力を供給するための電池を収納する電池収納部と、
を備え、
前記電池収納部が、サイズの異なる複数種類の電池から選択される任意の一種類の電池を収納可能であることを特徴とする薬剤揮散装置。
【請求項２】
前記電池収納部が、前記電池を収納する中空部を有する中空部材と、該中空部材の中空部の一方の開口端に固定され、前記電池のプラス端子部を前記薬剤揮散手段に電気的に接続するためのプラス側端子保持部材と、該プラス側端子保持部材に対向しながら前記プラス側端子保持部材に接近または離間する方向に前記中空部内を移動可能に設けられ、前記電池のマイナス端子部を前記薬剤揮散手段に電気的に接続するためのマイナス側端子保持部材と、を備えており、
前記プラス側端子保持部材が、サイズの異なる複数種類の電池のプラス端子部を受ける複数種類のプラス端子受け部を有し、そして、
前記マイナス側端子保持部材が、サイズの異なる複数種類の電池のマイナス端子部を受ける複数種類のマイナス端子受け部を有することを特徴とする請求項１に記載した薬剤揮散装置。
【請求項３】
前記電池収納部が薬剤揮散装置本体に着脱可能に設けられていることを特徴とする請求項１または請求項２に記載した薬剤揮散装置。
【発明の詳細な説明】
【０００１】
【発明の属する技術分野】
本発明は、薬剤揮散装置に関し、より詳細には、電池収納部を備えた薬剤揮散装置に関する。
【０００２】
【従来の技術】
従来、害虫防除装置等の薬剤揮散装置として、害虫防除成分等を保持した薬剤保持体をチャンバ内に支持し、チャンバ内に装備されたファンにより生起される気流を薬剤保持体に当てて、害虫防除成分等をチャンバ外に揮散させるものがある。ファンは、チャンバ内における吸気口と排気口との間に配置され、モータ等の駆動装置によって回転駆動される。
【０００３】
モータ等の駆動装置には、チャンバ内に設けられた電池収納部に収納された電池から電力が供給されるようになっている。尚、屋外で使用される薬剤揮散装置は、電池から電力を供給するようにしたものが一般的である。
【０００４】
【発明が解決しようとする課題】
従来の薬剤揮散装置では、電池収納部に収納できる電池の種類（サイズ）や収納本数が予め定められており、予め定められたものとは異なる種類や本数の電池を収納することは困難である。即ち、長期間使用できるように放電容量の大きな電池や多数本の電池を電池収納部に収納しようとしても収納できず、逆に、軽量化等のために小型の電池を電池収納部に収納しようとしても、収納が想定されている特定の一種類の電池以外の電池は収納できず、使い勝手が悪いといった課題があった。また、薬剤揮散装置の電池を交換する際に、手元にある電池が電池収納部の仕様に合っていないと、電池収納部の仕様に合った電池を改めて準備しなければならず、改善の余地があった。
【０００５】
本発明は、前述した課題に鑑みてなされたものであり、その目的は、サイズの異なる複数種類の電池から任意の一種類の電池を選択して使用することができる薬剤揮散装置を提供することにある。
【０００６】
【課題を解決するための手段】
前述した目的を達成するために、本発明の薬剤揮散装置は、請求項１に記載したように、
有効成分を保持した薬剤保持体と、
電力供給を受けて前記薬剤保持体から前記有効成分を揮散させるように作用する薬剤揮散手段と、
前記薬剤揮散手段に電力を供給するための電池を収納する電池収納部と、
を備え、
前記電池収納部が、サイズの異なる複数種類の電池から選択される任意の一種類の電池を収納可能であることを特徴としている。
【０００７】
請求項１に記載の発明によれば、電池収納部に複数種類の電池を収納できるようにしたので、薬剤揮散装置の使用に際して、選択された任意の種類の電池を使用することができる。従って、薬剤揮散装置を長期間使用するときには、放電容量の大きな電池や多数本の電池をセットし、また、薬剤揮散装置の重量を軽減させたいときには、最小本数の小型の電池を選択して使用することができる。また、薬剤揮散装置を使用中に電池が寿命に達したとき等、電池交換を要する際に、手元にある電池が、電池収納部が許容する何れかの種類の電池であれば、電池交換することができるので、利便性がよい。尚、前記サイズの異なる複数種類の電池は、単一形電池、単二形電池および単三形電池、又は単一形電池、単二形電池および単四形電池といった一般的に入手が容易な電池である。
【０００８】
また、本発明の薬剤揮散装置は、請求項２に記載したように、前記電池収納部が、前記電池を収納する中空部を有する中空部材と、該中空部材の中空部の一方の開口端に固定され、前記電池のプラス端子部を前記薬剤揮散手段に電気的に接続するためのプラス側端子保持部材と、該プラス側端子保持部材に対向しながら前記プラス側端子保持部材に接近または離間する方向に前記中空部内を移動可能に設けられ、前記電池のマイナス端子部を前記薬剤揮散手段に電気的に接続するためのマイナス側端子保持部材と、を備えており、
前記プラス側端子保持部材が、サイズの異なる複数種類の電池のプラス端子部を受ける複数種類のプラス端子受け部を有し、そして、
前記マイナス側端子保持部材が、サイズの異なる複数種類の電池のマイナス端子部を受ける複数種類のマイナス端子受け部を有することを特徴としている。
【０００９】
請求項２に記載の発明によれば、電池収納部が、電池を収納する例えば筒穴付き構造体などの中空部材を備えており、プラス側端子保持部材とマイナス側端子保持部材に、夫々複数種類の電池の端子部に対応するプラス端子受け部およびマイナス端子受け部を設けたので、選択された種類の電池に対応するプラス端子受け部およびマイナス端子受け部に、電池の端子部を嵌合させることによって、複数種類の電池から選択された任意の電池を所定の位置に位置決めして収納できる。従って、電池収納部への電池の収納が容易である。
【００１０】
また、本発明の薬剤揮散装置は、請求項３に記載したように、前記電池収納部が薬剤揮散装置本体に着脱可能に設けられていることを特徴としている。
【００１１】
請求項３に記載の発明によれば、電池収納部が薬剤揮散装置本体に着脱可能に設けられているので、小型電池専用の電池収納部を別途設けることによって、薬剤揮散装置自体の小型化および軽量化が可能となり、薬剤揮散装置の携帯性を高めることができる。
【００１２】
以上、本発明について簡潔に説明した。更に、以下に説明される発明の実施の形態を添付の図面を参照して通読することにより、本発明の詳細は更に明確化されるであろう。
【００１３】
【発明の実施の形態】
以下、本発明の好適な実施形態を図面に基づいて詳細に説明する。
【００１４】
（第１実施形態）
図１は本発明に係る薬剤揮散装置の第１実施形態の正面図、図２は図１の薬剤揮散装置の裏面図、図３は図１の薬剤揮散装置のＩＩＩ−ＩＩＩ矢視断面図、図４は薬剤保持体の正面図、図５は電池収納部カバーを外した状態を示す薬剤揮散装置の裏面図、図６は駆動装置と電池との電気的接続状態を示す模式図、図７は電池ホルダの部分破断斜視図、図８（Ａ）はプラス側端子保持部材の正面図、図８（Ｂ）は図８（Ａ）のプラス側端子保持部材のＶＩＩＩＢ−ＶＩＩＩＢ矢視断面図、図９（Ａ）はマイナス側端子保持部材の正面図、図９（Ｂ）は図９（Ａ）のマイナス側端子保持部材のＩＸＢ−ＩＸＢ矢視断面図、図１０はマイナス側端子保持部材に装着された各種の電池に電池収納筒を被せて電池ホルダに収納する状態を示し、図１０（Ａ）は単一形電池または単二形電池が電池ホルダに収納される状態を示す側面図、そして図１０（Ｂ）は単三形電池（または単四形電池）が電池ホルダに収納される状態を示す側面図である。
【００１５】
図１〜図４に示されるように、本発明の薬剤揮散装置１は、薬剤保持体２と、薬剤揮散手段３と、電池収納部５と、を備えており、これら構成要素を例えば合成樹脂製の筐体９に収納している。薬剤保持体２は有効成分を保持するためのものであり、その有効成分は薬剤揮散手段３によって揮散させられる。本実施形態では当該薬剤保持体２の一例として、図４に示されるように、略四角形枠状の枠体６および該枠体６の内側に設けられた薬剤保持部８を有する部材を用いたが、これに限定されない。例えば、有効成分を含む液体を保持し、加熱等により該有効成分を揮散させることが可能な容器を薬剤保持体として採用してもよい。
【００１６】
尚、風を当てて薬剤を揮散させる場合に適用される薬剤保持体２の例としては、ハニカム状、ネット状、マット状、芯状、粒状（複数の粒体の集合で通気性のあるものを含む）、蛇腹状、等の通気性部材や、ハニカム状、ネット状、マット状、芯状、粒状（複数の粒体の集合で通気性のないものを含む）、蛇腹状（蛇腹面上を風が通過するものを含む）、等の非通気性部材、等が挙げられ、また、これら通気性部材および非通気性部材には、例えば、薬液を保持させた非吸液式のものや、薬液が連続供給される吸液式のもの、等がある。また、加熱により薬剤を揮散させる場合に適用される薬剤保持体２の例としては同様に通気性部材や非通気性部材等が挙げられ、また、これら通気性部材および非通気性部材には、例えば、マット式のもの（薬剤を保持させたマット状部材）や、テープ式のもの（薬剤を保持させたテープ状部材）や、ペースト式のもの（ペースト状の薬剤組成物）や、吸液式のもの（吸液を行なう吸液芯や吸液テープ）や、通気性容器式のもの（ジェル、原体および薬液を収容した容器を気体透過性フィルムでシールしたもの）、等がある。また、熱風を当てて薬剤を揮散させる場合に適用される薬剤保持体２の例としては同様に通気性部材や非通気性部材等が挙げられ、また、これら通気性部材および非通気性部材には、例えば、マット式のもの（薬剤を保持させたマット状部材）や、テープ式のもの（薬剤を保持させたテープ状部材）や、ペースト式のもの（ペースト状の薬剤組成物）や、吸液式のもの（吸液を行なう吸液芯や吸液テープ）や、通気性容器式のもの（ジェル、原体および薬液を収容した容器に一つ以上の熱風通路があるもの）、等がある。尚、種々の薬剤保持体２の例を述べたが、これらの例のみに薬剤保持体２が限定されるものではないことに留意されるべきである。
【００１７】
さて、薬剤保持体２には、枠体６から外周側に突出する略半円形状のインジケータ部２ａが一体的に設けられている。枠体６およびインジケータ部２ａは、透明樹脂等の透明部材からなっている。インジケータ部２ａには昇華性物質からなる計時手段７が収納されており、図１に示されるように、透明なインジケータ部２ａを透して外部から計時手段７を目視することができる。尚、薬剤保持体２の使用時間に比例して変化する計時手段７の形状、色、等の状態から薬剤保持部８に保持されている有効成分の残量を確認でき、薬剤保持体２の使用期限を知ることができるようになっている。尚、インジケータ部２ａは、前述した構成以外のものでもよい。
【００１８】
薬剤保持部８に保持させる有効成分の例としては、害虫防除剤、殺菌剤、芳香剤、消臭剤、等の薬剤が挙げられる。薬剤保持部８の形状は、図４に示されるようなハニカム形状以外に、例えば、すのこ状、蛇腹形状、網状、スリット状、格子状、等とすることができる。また、薬剤保持部８を形成する材質は有効成分を十分に保持できるものであれば特に限定されず、その例としては、紙類、合成樹脂類、セラミック、ガラス繊維、炭素繊維、化学繊維、天然繊維、不織布、編織布、等が挙げられる。
【００１９】
尚、有効成分を薬剤保持部８に保持させるには、薬剤保持部８への薬剤の滴下、塗布、含浸塗布、スプレー塗布、等の液状塗布方法、液状印刷、はけ塗り、等の方法、或いは薬剤保持部８に貼り付ける方法、等を用いてもよい。また、使用する組成物が液状のものでない場合、或いは溶剤を使用しない場合には、混練込み、塗布、印刷、等の方法を用いて薬剤保持部８に有効成分を保持させてもよい。
【００２０】
薬剤揮散手段３は、電力供給を受けて薬剤保持体２から有効成分を揮散させるように作用する装置である。本実施形態では当該薬剤揮散手段３の一例として、図３に示されるように、ファン３ａおよび駆動装置３ｂを用いたが、これに限定されない。例えば、薬剤保持体２から有効成分を揮散させるように作用する加熱ヒーター等の発熱体を薬剤揮散手段３として採用してもよい。ただし、前述のように薬剤揮散手段３として、ファンおよびその駆動装置、または加熱ヒーター等の発熱体を例示したが、これらの例のみに薬剤揮散手段３が限定されるものではないことに留意されるべきである。尚、ファンおよびその駆動装置の例としては、羽根車の回転運動によって気体を圧送した時、その圧力比が１．１またはその吐出圧力が１０００ｍｍＨｇ未満の送風機が挙げられ、例えば、遠心ファン（後ろ向き羽、ラジアル、多翼）、斜流・軸流ファン（ベーン、チューブ、プロペラ、反転）、ピエゾファン、等を採用することができるが、これに限定されない。また、発熱体の例としては、正特性サーミスター等の半導体、面状発熱体、ニクロム線を利用した発熱体、マイクロ波、磁気、等を利用した発熱体、白金触媒を利用した発熱体、白金ハニカム触媒を利用した発熱体、等を採用することができるが、これに限定されない。
【００２１】
本実施形態において、ファン３ａおよび駆動装置３ｂは、薬剤保持体２に気流を当てて有効成分を揮散させるための所謂軸流送風機構を構成している。本実施形態では駆動装置３ｂの一例としてモータを採用しており、複数の翼を有するファン３ａの中央部が駆動装置（以下、モータと称す。）３ｂの回転軸１０に固定されている。よって、回転軸１０の回転に伴いファン３ａが回転することにより気流が生じる。
【００２２】
筺体９の上面には、ヒンジ４によって開閉自在なように蓋体１１が設けられ、該蓋体１１を開放して薬剤保持体２を筺体９内の薬剤室１７にセットできるようになっている。蓋体１１には、複数のスリット状の揮散口１１ａが設けられている。
【００２３】
筺体９の裏面９ａには、複数のスリット状の吸気口１２が形成されている。薬剤保持体２を薬剤室１７内にセットすると、薬剤保持部８は、吸気口１２と揮散口１１ａの間、且つファン３ａの送風方向下流側に配置されるようになっている。
【００２４】
図２、図３および図５に示されるように、筺体９に設けられた電池収納部５は、着脱可能な電池ホルダ１４（図５他参照）を備えており、電池収納部５の開口部は、筺体９に着脱自在な電池収納部カバー５ａによってカバーされている。電池収納部５内には、導電性金属板等からなるプラス電池接片１５と、導電性金属ばね材等からなるマイナス電池接片１６とが対向して配設されている。電池ホルダ１４は、プラス電池接片１５およびマイナス電池接片１６に電気的に接続されるようにプラス電池接片１５とマイナス電池接片１６との間に着脱可能に収納される。
【００２５】
図１に示されるように、薬剤揮散装置１の操作部として、モータ３ｂ（ファン３ａ）を回転および停止させるためのスイッチ１８が筺体９の上面に設けられている。図６に示されるように、モータ３ｂは、電線１３によってスイッチ１８および電池ホルダ１４に電気的に接続されており、スイッチ１８を筺体９の上面に沿って矢印ＡまたはＢ方向にスライドさせることによって、モータ３ｂ（ファン３ａ）を回転または停止させるようになっている。
【００２６】
図７に示されるように、電池ホルダ１４は、電池を収納して電池収納部５にセットされるものであって、電池を収納する中空部を有する中空部材の一例として、筒穴付き構造体である電池収納筒２１を備え、更に、プラス側端子保持部材２２およびマイナス側端子保持部材２３を備えている。電池収納筒２１は、その中空部（即ち、筒穴）の内径寸法が単一形電池の外径寸法と略同一となるように、合成樹脂により成形された円形パイプ状部材である。電池収納筒２１の一方の開口端には、該開口端を塞ぐようにプラス側端子保持部材２２が固定されている。電池収納筒２１の他方の開口端には、マイナス側端子保持部材２３が嵌合し、プラス側端子保持部材２２に対向しながらプラス側端子保持部材２２に接近または離間する方向に電池収納筒２１内を移動可能なように配設されている。尚、本発明に係る薬剤揮散装置において用いられる電池の例としては、一般に市販されている単一形、単二形、単三形または単四形のアルカリ乾電池、ニッケル乾電池、ニッケルマンガン乾電池、マンガン乾電池、リチウム乾電池、等の一次電池の他、充電可能な単一形、単二形、単三形または単四形の二次電池（即ち、蓄電池）も挙げられる。
【００２７】
図８（Ａ）および図８（Ｂ）に示されるように、プラス側端子保持部材２２は、導電性金属製の略円板状の部材であり、電池収納筒２１に固定されたとき外側になる面（即ち、外面）２２ａには、凸状接触部２２ｂが形成されている。一方、プラス側端子保持部材２２の電池収納筒２１に固定されたときに内側となる面（即ち、内面）２２ｃには、サイズの異なる複数種類の電池のプラス端子部を受ける複数種類のプラス端子受け部として、中央に１個、そして同一円周上に９０°間隔で４個、合計５個の凹状接触部２２ｄが形成されている。
【００２８】
プラス側端子保持部材２２の内面中央の凹状接触部２２ｄは、単一形電池２０Ａのプラス端子部２０Ａａまたは単二形電池２０Ｂのプラス端子部２０Ｂａ（図１０（Ａ）参照）に接触して電気的に接続される接触部である。一方、プラス側端子保持部材２２の内面に同一円周上に９０°間隔で配置された４個の凹状接触部２２ｄは、単三形電池（または単四形電池）２０Ｃのプラス端子部２０Ｃａに接触して電気的に接続される接触部である。
【００２９】
夫々の凹状接触部２２ｄは、対応する電池のプラス端子部の外径寸法と同一若しくは該外径寸法よりも僅かに大きい内径寸法を有し、且つ当該プラス端子部の高さよりも浅い円形凹部となっている。より詳細には、単一形電池２０Ａのプラス端子部２０Ａａの外径寸法は、単二形電池２０Ｂのプラス端子部２０Ｂａの外径寸法よりも大きいため、これらのプラス端子部２０Ａａ，２０Ｂａどちらにも対応可能なプラス側端子保持部材２２の内面中央の凹状接触部２２ｄについては、その内径寸法が単一形電池２０Ａのプラス端子部２０Ａａの外径寸法と同一若しくは該外径寸法よりも僅かに大きく設定され且つ、単二形電池２０Ｂのプラス端子部２０Ｂａの高さよりも浅い円形凹部となっている。また、プラス側端子保持部材２２の内面に同一円周上に９０°間隔で配置された４個の凹状接触部２２ｄについては、それらの各内径寸法が単三形電池（または単四形電池）２０Ｃのプラス端子部２０Ｃａの外径寸法と同一若しくは該外径寸法よりも僅かに大きく設定され且つ、プラス端子部２０Ｃａの高さよりも浅い円形凹部となっている。
【００３０】
単一形電池２０Ａ、単二形電池２０Ｂ、または単三形電池（または単四形電池）２０Ｃは、図８（Ｂ）に二点鎖線で示されるように、対応する何れかの凹状接触部２２ｄにプラス端子部２０Ａａ，２０Ｂａ、または２０Ｃａを嵌合および接触させてプラス側端子保持部材２２にセットされる。
【００３１】
図９（Ａ）および図９（Ｂ）に示されるように、マイナス側端子保持部材２３は、導電性金属製の略円板状の部材であり、外周面に突起部２３ｈが設けられている。突起部２３ｈは、電池収納筒２１の中空部へ貫通するように電池収納筒２１の周壁に軸方向に形成された位置決めスリット２１ｂに嵌合し、摺動可能に配設される（図７参照）。これによって、マイナス側端子保持部材２３は、プラス側端子保持部材２２に対する回転方向の位相が規制されるとともに、軸方向（即ち、プラス側端子保持部材２２に接近または離間する方向）に移動可能、即ち、スライド自在、となっている。
【００３２】
マイナス側端子保持部材２３の電池収納筒２１に固定されたとき外側になる面（即ち、外面）２３ａは、平面とされ、そして電池収納筒２１に固定されたとき内側になる面（即ち、内面）２３ｂには、サイズの異なる複数種類の電池のマイナス端子部を受ける複数種類のマイナス端子受け部として、第１円形凹部２３ｃ、第２円形凹部２３ｄ、および導電性金属製のコイルばね２４が設けられている。第１円形凹部２３ｃの内径寸法は単二形電池２０Ｂの外径寸法と略同一である。第２円形凹部２３ｄは、同一円周上に９０°間隔で４個、内面２３ｂに形成されている。各第２円形凹部２３ｄの内径寸法は、単三形電池（または単四形電池）２０Ｃの外径寸法と略同一であり、その深さは第１円形凹部２３ｃよりも深くなっている。コイルばね２４は、内面２３ｂの中央（換言すれば、マイナス端子受け部の中央）に凹部を画成するよう設けられたばね室２３ｆに固定されている。自由状態におけるコイルばね２４の自由端２４ａは、マイナス側端子保持部材２３の端面２３ｇよりも突出するように位置している。
【００３３】
電池ホルダ１４への各種電池の収納は、以下のように行なわれる。まず、単一形電池２０Ａの電池ホルダ１４への収納については、図１０（Ａ）に示されるように、コイルばね２４を圧縮しながらマイナス側端子保持部材２３の端面２３ｇ上に単一形電池２０Ａを載せ、プラス側端子保持部材２２を有する電池収納筒２１を矢印Ｃ方向に被せて、電池収納筒２１内に収納する。このとき、単一形電池２０Ａは、電池収納筒２１の内周面に案内されて半径方向の位置が決められ、プラス側端子保持部材２２の中央に形成された凹状接触部２２ｄに、単一形電池２０Ａのプラス端子部２０Ａａが嵌合し、凹状接触部２２ｄの底部とプラス端子部２０Ａａの先端が接触して電気的に接続される。
【００３４】
単一形電池２０Ａは、その外周部が電池収納筒２１に嵌合し且つ、そのプラス端子部２０Ａａが凹状接触部２２ｄに嵌合して位置決めされているので、プラス側端子保持部材２２およびマイナス側端子保持部材２３との電気的接続が遮断されることはない。
【００３５】
単二形電池２０Ｂの電池ホルダ１４への収納については、図１０（Ａ）に示されるように、マイナス側端子保持部材２３の第１円形凹部２３ｃに単二形電池２０Ｂのマイナス端子側外周部を嵌合させて位置決めし、電池収納筒２１を矢印Ｃ方向に被せる。そして、単二形電池２０Ｂのプラス端子部２０Ｂａがプラス側端子保持部材２２の中央に形成された凹状接触部２２ｄに嵌め込まれる。このように、単二形電池２０Ｂは、第１円形凹部２３ｃと凹状接触部２２ｄによって位置決めされて保持されるとともに、凹状接触部２２ｄとプラス端子部２０Ｂａ、および単二形電池２０Ｂの底部（マイナス端子）とマイナス側端子保持部材２３とが電気的に接続された状態で電池ホルダ１４に収納される。尚、単二形電池２０Ｂの長さは単一形電池２０Ａの長さより１０ｍｍ程度短いため、その分、マイナス側端子保持部材２３がプラス側端子保持部材２２に接近して配置されるように、マイナス側端子保持部材２３を電池収納筒２１内でスライドさせる。
【００３６】
単三形電池（または単四形電池）２０Ｃの電池ホルダ１４への収納については、１本〜４本の単三形電池（または単四形電池）２０Ｃのマイナス端子側外周部を図１０（Ｂ）に示されるようにマイナス側端子保持部材２３の第２円形凹部２３ｄに嵌合させて位置決めし、電池収納筒２１を矢印Ｃ方向に被せて単三形電池（または単四形電池）２０Ｃのプラス端子部２０Ｃａをプラス側端子保持部材２２の凹状接触部２２ｄに嵌合させる。このように、単三形電池（または単四形電池）２０Ｃは、第２円形凹部２３ｄおよび凹状接触部２２ｄによって位置決めされて保持されるとともに、凹状接触部２２ｄとプラス端子部２０Ｃａ、および単三形電池（または単四形電池）２０Ｃの底部（即ち、マイナス端子）とマイナス側端子保持部材２３とが電気的に接続された状態で電池ホルダ１４に収納される。尚、複数本の単三形電池（または単四形電池）２０Ｃを電池ホルダ１４に収納する場合、これらの電池は並列接続される。
【００３７】
このように、電池ホルダ１４のプラス側端子保持部材２２およびマイナス側端子保持部材２３は、単一形電池２０Ａ、単二形電池２０Ｂおよび単三形電池（または単四形電池）２０Ｃといった３種類の電池から、任意の電池を選択して収納可能なように設けられている。単一形電池２０Ａおよび単二形電池２０Ｂの収納可能本数は１本である。また、単三形電池（または単四形電池）２０Ｃの収納可能本数は最大４本であるが、使用目的、手持ちの単三形電池（または単四形電池）２０Ｃの本数、等に応じて、任意の本数の単三形電池（または単四形電池）２０Ｃを電池ホルダ１４に収納すればよい。
【００３８】
図５に示されるように、電池が収納された電池ホルダ１４は、マイナス側端子保持部材２３の外面２３ａをマイナス電池接片１６に当接させるように、マイナス側端子保持部材２３の方から電池収納部５内に挿入される。そして、該マイナス電池接片１６を圧縮しながら、電池ホルダ１４のプラス側端子保持部材２２の方を電池収納部５に挿入してプラス電池接片１５と凸状接触部２２ｂとを接触させることにより、電池ホルダ１４が電池収納部５内に収納される。尚、電池ホルダ１４に収納される電池は種類によって長さが異なるため、電池の長さに応じてマイナス側端子保持部材２３の位置が異なるが、その差は、マイナス電池接片１６のばね作用によって吸収され、電池はマイナス側端子保持部材２３を介してプラス側端子保持部材２２に押圧されている。これによって、図６に示される電気回路が形成される。
【００３９】
尚、上記説明においては、マイナス側端子保持部材２３に配置された電池に電池収納筒２１を被せることにより、電池ホルダ１４に電池を収納するようにしたが、電池収納筒２１の側面に窓（電池入出口）を設け、該窓から電池を電池収納筒２１内に挿入して夫々の電池を電池ホルダ１４に収納するようにしてもよい。また、前述の電池収納筒２１側面の窓を開閉する蓋部材を電池収納筒２１にヒンジを介して揺動自在に設け、更に当該蓋部材を板バネ等で電池収納筒２１の内側へ付勢するようにすれば、電池ホルダ１４に収納される電池を押さえ付けて固定できるので好ましい。尚、前述の蓋部材は電池収納筒２１の側面の窓を厳密に開放且つ閉鎖するものでなくともよい。
【００４０】
次に、電池ホルダ１４のプラス側端子保持部材およびマイナス側端子保持部材の変形例を図１１（Ａ）〜図１２（Ｂ）を参照して説明する。図１１（Ａ）および図１１（Ｂ）はプラス側端子保持部材の変形例を示し、図１１（Ａ）は当該変形例の正面図、そして図１１（Ｂ）は図１１（Ａ）のＸＩＢ−ＸＩＢ矢視断面図である。図１２（Ａ）および図１２（Ｂ）はマイナス側端子保持部材の変形例を示し、図１２（Ａ）は当該変形例の正面図、そして図１２（Ｂ）は図１２（Ａ）のＸＩＩＢ−ＸＩＩＢ矢視断面図である。
【００４１】
図１１（Ａ）および図１１（Ｂ）に示されるように、プラス側端子保持部材４０は、合成樹脂により略円板状に形成された本体４１と、主として導電性金属板により形成されたプラス電極板４２と、を備えている。本体４１は、その内外面４１ｄ，４１ｃが平面とされ、その中央には、単一形電池２０Ａのプラス端子部２０Ａａの外径寸法と同一若しくは該外径寸法よりも僅かに大きい内径寸法を有する貫通穴４１ａが形成され、更に、同一円周上に９０°間隔で、単四形電池（または単三形電池）２０Ｃのプラス端子部２０Ｃａの外径寸法と同一若しくは該外径寸法よりも僅かに大きい内径寸法を有する４個の貫通穴４１ｂが形成されている。プラス側端子保持部材４０を電池収納筒２１に固定したとき外側となる外面４１ｃには、プラス電極板４２が固定されている。
【００４２】
プラス電極板４２は、電池のプラス端子部に接触し、電気回路の一部を構成するためのものであって、ばね性を有する金属板によって成形されている。図１１（Ａ）に示されるように、プラス電極板４２は、略円形の中央部から９０°間隔で４本の腕部４２ａが放射状に設けられている。プラス電極板４２の中央部は、凸状接触部４２ｂが突出して形成され、該凸状接触部４２ｂの裏面側には、金属性の電極棒４２ｃが溶接等の手段によって固着されている。図１１（Ｂ）に示されるように、４本の腕部４２ａは、途中から電極棒４２ｃと平行に略９０°に屈曲され、腕部４２ａそれぞれの先端４２ｄは、略Ｕ字形に形成されている。
【００４３】
また、プラス電極板４２の中央部からは、先端に穴４２ｆが形成された２本の固定腕４２ｅが半径方向に延びて設けられている。そして、プラス電極板４２は、穴４２ｆに本体４１に形成されたピン（不図示）を嵌合させた後、該ピンの先端を溶融させることにより固定される。
【００４４】
本体４１に固定された状態においてプラス電極板４２の電極棒４２ｃは、貫通穴４１ａ内に位置し、その先端は側面４１ｄから僅かに内側に位置するようになっている。具体的には、側面４１ｄと電極棒４２ｃの先端との距離は、電池のプラス端子部の高さより短く（例えば１ｍｍ程度に）なるように設定されている。従って、貫通穴４１ａに電池（即ち、単一形電池２０Ａまたは単二形電池２０Ｂ）のプラス端子部を嵌合させたとき、電極棒４２ｃとプラス端子部とが確実に接触して電気的に接続するようになっている。
【００４５】
また、４本の腕部４２ａの先端４２ｄは、夫々貫通穴４１ｂ内に位置し、先端４２ｄは側面４１ｄから僅かに内側に位置するようになっている。具体的には、側面４１ｄと先端４２ｄとの距離は、電池のプラス端子部の高さより短く（例えば１ｍｍ程度に）なるように設定されている。従って、貫通穴４１ｂに電池（単四形電池（または単三形電池）２０Ｃ）のプラス端子部を嵌合させたとき、先端４２ｄとプラス端子部とが確実に接触して電気的に接続するようになっている。このように、本体４１の内面４１ｄには、サイズの異なる複数種類の電池のプラス端子部を受ける複数種類のプラス端子受け部として、貫通穴４１ａ、貫通穴４１ｂ、電極棒４２ｃ、およびプラス電極板４２の腕部４２ａが設けられている。
【００４６】
図１２（Ａ）および図１２（Ｂ）に示されるように、マイナス側端子保持部材５０は、合成樹脂等により略円板状に形成された本体５１と、主としてばね性を有する導電性金属板により形成されたマイナス電極板５２と、を備えている。本体５１は、その外面５１ａが平面とされ、その内面５１ｂには、単二形電池２０Ｂの外径寸法と略同一内径寸法の第１円形凹部５１ｃが設けられている。また、内面５１ｂには、同一円周上に９０°間隔で４個の貫通穴５１ｅと該貫通穴５１ｅそれぞれに連通する第２円形凹部５１ｄが形成されている。各第２円形凹部５１ｄの内径寸法は貫通穴５１ｅの内径寸法よりも大きく、図１２（Ｂ）に示されるように段差が形成されている。また、第２円形凹部５１ｄの内径寸法は、単四形電池（または単三形電池）２０Ｃの外径寸法と略同一であり、その深さは第１円形凹部５１ｃよりも深くなっている。更に、本体５１の中央には、貫通穴５１ｆが形成されている。本体５１を電池収納筒２１に固定したとき外側となる外面５１ａには、マイナス電極板５２が固定されている。
【００４７】
マイナス電極板５２は、電池のマイナス端子（底部）に接触し、電気回路の一部を構成するためのものであって、ばね性を有する導電性の金属板によって形成されている。図１２（Ａ）に示されるように、マイナス電極板５２は、略円形の中央部から９０°間隔で４本の腕部５２ａが放射状に形成されている。マイナス電極板５２の中央部には、コイルばね５３が溶着等の手段によって固着されている。放射状に延びる４本の腕部５２ａは、途中からコイルばね５３と平行に、略９０°屈曲され、夫々の先端５２ｄは略Ｕ字形に形成されている。また、マイナス電極板５２の中央部からは、先端に穴５２ｆが形成された２本の固定腕５２ｅが半径方向に延びて設けられている。そして、マイナス電極板５２は、穴５２ｆに本体５１に形成されたピン（不図示）を嵌合させた後、該ピンの先端を溶融させることによって固定されている。
【００４８】
図１２（Ｂ）に示されるように、本体５１に固定された状態において、マイナス電極板５２のコイルばね５３は、貫通穴５１ｆ内に位置し、自由状態におけるコイルばね５３の自由端５３ａは、側面５１ｇから突出して位置するようになっている。従って、電池（単一形電池２０Ａまたは単二形電池２０Ｂ）をマイナス側端子保持部材５０にセットしたとき、コイルばね５３と電池のマイナス端子（底部）とが接触して電気的に接続するようになっている。
【００４９】
また、４本の腕部５２ａの先端５２ｄは、夫々貫通穴５１ｅ内に位置し、先端５２ｄは貫通穴５１ｅから僅かに突出して第２円形凹部５１ｄ内に位置している。そして、単四形電池（または単三形電池）２０Ｃのマイナス端子側外周部を第２円形凹部５１ｄに嵌合させ且つ、第２円形凹部５１ｄの内径寸法および貫通穴５１ｅの内径寸法の違いにより形成される前述の段差に当接させるようにセットすると、腕部５２ａの先端５２ｄが撓んで単四形電池（または単三形電池）２０Ｃのマイナス端子（底部）と接触し、電気的に接続するようになっている。このように、本体５１の内面５１ｂには、サイズの異なる複数種類の電池のマイナス端子部を受ける複数種類のマイナス端子受け部として、第１円形凹部５１ｃ、第２円形凹部５１ｄ、マイナス電極板５２の腕部５２ａ、およびコイルばね５３が設けられている。
【００５０】
尚、プラス側端子保持部材４０およびマイナス側端子保持部材５０は、図７〜図１０（Ｂ）を参照して既に説明した電池ホルダ１４の電池収納筒２１にプラス側端子保持部材２２およびマイナス側端子保持部材２３と同様に設けられる。マイナス側端子保持部材５０には、その外周面に突起部５１ｈが設けられており、該突起部５１ｈは、電池収納筒２１に軸方向に形成された位置決めスリット２１ｂに嵌合し、摺動可能に配設される。これによって、マイナス側端子保持部材５０は、プラス側端子保持部材４０に対する回転方向の位相が規制されるとともに、軸方向（即ち、プラス側端子保持部材４０に接近または離間する方向）に移動可能、即ち、スライド自在、となっている。
【００５１】
以上のように、電池ホルダ１４は、単一形電池、単二形電池および単三形電池の中から、又は単一形電池、単二形電池および単四形電池の中から任意の一種類の電池を選択して収納できるように構成されている。このように、電池ホルダ１４は任意の種類の電池を収納することができるので、利便性が高い。また、電池ホルダ１４には、単三形電池または単四形電池を１本〜４本のうち、任意の本数セットすることができる。よって、長期間の使用には放電容量の大きな電池（例えば、単一形または単二形電池）を、また軽量化するには小型の電池（例えば、単三形または単四形電池）を少ない本数、電池ホルダ１４に収納し、使用目的に応じて使い分けることが可能である。
【００５２】
（第２実施形態）
次に、本発明に係る薬剤揮散装置の第２実施形態を図１３に基づいて説明する。図１３は、前述の電池収納部を外付けタイプの電池収納箱として、該電池収納箱を薬剤揮散装置本体に固定した状態を示す横断面図である。図１３に示されるように、外付けタイプの電池収納箱６０は、図５において説明した第１実施形態の電池収納部５と同様に、略板状のプラス電池接片１５と、導電性金属製のばね材により形成されたマイナス電池接片１６とが対向して配設され、プラス電池接片１５とマイナス電池接片１６との間に電池ホルダ１４が着脱可能に収納されるようになっている。また、電池収納箱６０自体も薬剤揮散装置本体７５から着脱可能となっている。
【００５３】
電池収納箱６０の側面６０ａには、ピン状のプラス電極６１およびマイナス電極６２が、後端をばね６３によって支持されて配置されており、僅かな距離だけ軸方向に移動可能に配置されている。プラス電極６１は電線６４によってプラス電池接片１５に電気的に接続されている。マイナス電極６２は電線６４によってマイナス電池接片１６に電気的に接続されている。また、側面６０ａには、固定用ねじ６５が回動自在に支持されており、固定用ねじ６５の円板状操作部６５ｂを電池収納箱６０の外側から回動操作できるようになっている。固定用ねじ６５のねじ部６５ａは、側面６０ａから突出している。
【００５４】
薬剤揮散装置７０の側面７０ａには、電池収納箱６０のプラス電極６１およびマイナス電極６２に対向する位置に、プラス電極片７１およびマイナス電極片７２が配置されており、電線７３によってモータ３ｂに電気的に接続されている。側面７０ａの固定用ねじ６５に対向する位置には、雌ねじ７０ｂが形成されている。
【００５５】
そして、プラス電極片７１およびマイナス電極片７２に、夫々プラス電極６１およびマイナス電極６２を接触させながら、薬剤揮散装置７０の側面７０ａに電池収納箱６０の側面６０ａを当接させ、円板状操作部６５ｂを回動操作して固定用ねじ６５のねじ部６５ａを雌ねじ７０ｂに螺合させる。これによって、薬剤揮散装置７０と電池収納箱６０が締結され、モータ３ｂとプラス電池接片１５およびマイナス電池接片１６が電気的に接続される。
【００５６】
このように電池収納部を外付けタイプの電池収納箱６０により構成することによって、小型電池専用（例えば、単三形電池専用や単四形電池専用）の電池収納箱６０を別途準備すれば、薬剤揮散装置７０全体を小型、軽量化することができる。
【００５７】
以下、上記第１および第２実施形態の作用を説明する。単一形電池２０Ａ、単二形電池２０Ｂおよび単三形電池（または単四形電池）２０Ｃの中から、任意の一種類の電池を選択して電池ホルダ１４にセットし、電池収納部５または電池収納箱６０に収納する。図１に示されるように、スイッチ１８を筺体９の上面に沿って矢印Ａ方向にスライドさせてオンすると、モータ３ｂ（ファン３ａ）が回転する。ファン３ａの回転によって、吸気口１２から吸気された外気は、薬剤保持部８に当たり、有効成分を揮散させる。有効成分が含まれた気流は、揮散口１１ａから排気される。
【００５８】
尚、本発明は、前述した各実施形態および変形例に限定されるものではなく、適宜、変形、改良、等が可能である。その他、前述した各実施形態における各構成要素の材質、形状、寸法、形態、数、配置箇所、等は本発明を達成できるものであれば任意であり、限定されない。
【００５９】
上述した各実施形態においては、電池は電池ホルダにセットした後、電池収納部（第２実施形態では電池収納箱と称した。）に収納するものとして説明したが、電池収納部（電池収納箱）の構造を電池ホルダの構造と同様となるように変形して、電池を直接、電池収納部（電池収納箱）にセットするようにしてもよい。換言すれば、電池ホルダを単体として設けずに、電池収納部（電池収納箱）と一体化してもよい。この場合、例えば、プラス電池接片を電池収納部（電池収納箱）に設けずにプラス側端子保持部材を電池収納部（電池収納箱）に固定して薬剤揮散手段と電気的に接続するための電線を直接接続し、前述のような電池を挿入するための窓を側面に有する中空部材を設けて当該中空部材の中空部内でマイナス側端子保持部材をスライド自在とし、そしてマイナス電池接片によりマイナス側端子保持部材がプラス側端子保持部材に向けて付勢されるように、電池収納部（電池収納箱）を構成すればよい。
【００６０】
【発明の効果】
以上、説明したように、本発明によれば、薬剤揮散装置が、有効成分を保持した薬剤保持体と、電力供給を受けて薬剤保持体から有効成分を揮散させるように作用する薬剤揮散手段と、薬剤揮散手段に電力を供給するための電池を収納する電池収納部と、を備えており、電池収納部が、サイズの異なる複数種類の電池から選択される任意の一種類の電池を収納可能であるので、薬剤揮散装置を長期間使用するときには、放電容量の大きな電池や多数本の電池をセットし、また、薬剤揮散装置の重量を軽減させたいときには、最小本数の小型の電池を選択して使用することができる。また、薬剤揮散装置を使用中に電池が寿命に達したとき等、電池交換を要する際に、手元にある電池が、電池収納部が許容する何れかの種類の電池であれば、電池交換することができるので、利便性がよい。
【００６１】
また、本発明によれば、電池収納部が、電池を収納する中空部を有する中空部材と、該中空部材の中空部の一方の開口端に固定され、電池のプラス端子部を薬剤揮散手段に電気的に接続するためのプラス側端子保持部材と、該プラス側端子保持部材に対向しながらプラス側端子保持部材に接近または離間する方向に中空部内を移動可能に設けられ、電池のマイナス端子部を薬剤揮散手段に電気的に接続するためのマイナス側端子保持部材と、を備えており、プラス側端子保持部材が、サイズの異なる複数種類の電池のプラス端子部を受ける複数種類のプラス端子受け部を有し、そしてマイナス側端子保持部材が、サイズの異なる複数種類の電池のマイナス端子部を受ける複数種類のマイナス端子受け部を有するので、選択された種類の電池に対応するプラス端子受け部およびマイナス端子受け部に、電池の端子部を嵌合させることによって、複数種類の電池から選択された任意の電池を所定の位置に位置決めして収納できる。従って、電池収納部への電池の収納が容易である。
【００６２】
また、本発明によれば、電池収納部が薬剤揮散装置本体に着脱可能に設けられているので、小型電池専用の電池収納部を別途設けることによって、薬剤揮散装置自体の小型化および軽量化が可能となり、薬剤揮散装置の携帯性を高めることができる。
【図面の簡単な説明】
【図１】本発明に係る薬剤揮散装置の第１実施形態の正面図である。
【図２】図１の薬剤揮散装置の裏面図である。
【図３】図１の薬剤揮散装置のＩＩＩ−ＩＩＩ矢視断面図である。
【図４】薬剤保持体の正面図である。
【図５】電池収納部カバーを外した状態を示す薬剤揮散装置の裏面図である。
【図６】駆動装置と電池との電気的接続状態を示す模式図である。
【図７】電池ホルダの部分破断斜視図である。
【図８】（Ａ）はプラス側端子保持部材の正面図、そして（Ｂ）は（Ａ）のプラス側端子保持部材のＶＩＩＩＢ−ＶＩＩＩＢ矢視断面図である。
【図９】（Ａ）はマイナス側端子保持部材の正面図、そして（Ｂ）は（Ａ）のマイナス側端子保持部材のＩＸＢ−ＩＸＢ矢視断面図である。
【図１０】（Ａ）は単一形電池または単二形電池が電池ホルダに収納される状態を示す側面図、そして（Ｂ）は単三形電池（または単四形電池）が電池ホルダに収納される状態を示す側面図である。
【図１１】（Ａ）はプラス側端子保持部材の変形例の正面図、そして（Ｂ）は（Ａ）のプラス側端子保持部材の変形例のＸＩＢ−ＸＩＢ矢視断面図である。
【図１２】（Ａ）はマイナス側端子保持部材の変形例の正面図、そして図１２（Ｂ）は（Ａ）のマイナス側端子保持部材の変形例のＸＩＩＢ−ＸＩＩＢ矢視断面図である。
【図１３】本発明に係る薬剤揮散装置の第２実施形態を示し、特に、外付けタイプの電池収納箱が薬剤揮散装置本体に固定された状態を示す裏面図である。
【符号の説明】
１，７０　薬剤揮散装置
２　　　　薬剤保持体
３　　　　薬剤揮散手段
５，６０　電池収納部
１４　　　　電池ホルダ
２１　　　　電池収納筒
２２　　　　プラス側端子保持部材
２２ｄ　　　凹状接触部（プラス端子受け部）
２３　　　　マイナス側端子保持部材
２３ｃ　　　第１円形凹部（マイナス端子受け部）
２３ｄ　　　第２円形凹部（マイナス端子受け部）
２４　　　　コイルばね（マイナス端子受け部）
４０　　　　プラス側端子保持部材
４１ａ　　　貫通穴（プラス端子受け部）
４１ｂ　　　貫通穴（プラス端子受け部）
４２ｃ　　　電極棒（プラス端子受け部）
４２　　　　プラス電極板
４２ａ　　　腕部（プラス端子受け部）
５０　　　　マイナス側端子保持部材
５１ｃ　　　第１円形凹部（マイナス端子受け部）
５１ｄ　　　第２円形凹部（マイナス端子受け部）
５２　　　　マイナス電極板
５２ａ　　　腕部（マイナス端子受け部）
５３　　　　コイルばね（マイナス端子受け部）
【図１】
2004089257.tif 000003
【図２】
2004089257.tif 000004
【図３】
2004089257.tif 000005
【図４】
2004089257.tif 000006
【図５】
2004089257.tif 000007
【図６】
2004089257.tif 000008
【図７】
2004089257.tif 000009
【図８】
2004089257.tif 000010
【図９】
2004089257.tif 000011
【図１０】
2004089257.tif 000012
【図１１】
2004089257.tif 000013
【図１２】
2004089257.tif 000014
【図１３】
2004089257.tif 000015